(57)【要約】      （修正有）【課題】簡易な構成で防犯マットの電源スイッチを侵入者に発見されないようにすることの可能な、新規かつ改良された防犯マットを提供する。【解決手段】防犯マットは、所定の厚みを有するマット１１０と、マット１１０を収容する凹状のマット収容部１２２を形成するマットベース１２０と、手動でオンオフを切り替える電源スイッチＳＷと、電源スイッチＳＷがオンの状態のときにマット１１０に荷重が掛かったことを検知する検知部１３０と、検知部１３０によってマット１１０に荷重が掛かったことが検知されたときに、警報を発する警報部１４０と、を備える。電源スイッチＳＷは、マット収容部１２２の側面に設けられ、マット収容部１２２にマット１１０が収容された状態で視認できないことを特徴とする。【選択図】図２
2018025857.tif 000002
【特許請求の範囲】
【請求項１】
所定の厚みを有するマットと、
前記マットを収容する凹状のマット収容部を形成するマットベースと、
手動でオンオフを切り替える電源スイッチと、
前記電源スイッチがオンの状態のときに前記マットに荷重が掛かったことを検知する検知部と、
前記検知部によって前記マットに荷重が掛かったことが検知されたときに、警報を発する警報部と、
を備え、
前記電源スイッチは、前記マット収容部の側面に設けられ、前記マット収容部に前記マットが収容された状態で視認できないことを特徴とする、防犯マット。
【請求項２】
前記マットベースには、前記マット収容部の水平位置に、前記警報部を収容する警報部収容部が設けられることを特徴とする、請求項１に記載の防犯マット。
【請求項３】
前記マットベースは、前記警報部収容部の上方が開放することを特徴とする、請求項２に記載の防犯マット。
【請求項４】
前記検知部は、
第１プレートと、
第２プレートと、
前記第１プレートと前記第２プレートとを離間する第３プレートと、
を有し、
前記第３プレートには、１又は２以上の穴が形成され、
前記マットに荷重が掛かると、前記第３プレートの穴が形成された箇所で前記第１プレートと前記第２プレートとが接触して通電することで、前記マットに荷重が掛かったことを検知することを特徴とする、請求項１〜３のいずれかに記載の防犯マット。
【請求項５】
前記検知部は、前記マット収容部に着脱自在に収容されることを特徴とする、請求項１〜４のいずれかに記載の防犯マット。
【発明の詳細な説明】
【技術分野】
【０００１】
本発明は、ドアの下などに設置されて、侵入者を検知して警報を鳴らす防犯マットに関する。
【背景技術】
【０００２】
ドアの下などに設置されて、侵入者を検知して警報を鳴らす防犯マットが知られている（例えば、特許文献１参照）。防犯マットには、必要時に電源をオンし、不必要時に電源をオフするための電源スイッチが設けられている。使用者は、例えば外出時には電源スイッチをオンすることで防犯マットの機能を有効にし、帰宅後の在宅時には、電源スイッチをオフすることで防犯マットの機能を無効にすることができる。
【先行技術文献】
【特許文献】
【０００３】
【特許文献１】特開２００９−１２２８９６号公報
【発明の概要】
【発明が解決しようとする課題】
【０００４】
しかしながら、従来の防犯マットでは、上記のような電源スイッチの性質上、侵入者に電源スイッチを発見されると、防犯マットとしての役割を果たせないという問題があった。このような問題を解決するために、電源スイッチを防犯マットの裏面に設けて隠すと、電源スイッチの操作が面倒になる。また、電源を遠隔操作できるようにすると、装置が大掛かりになりコスト増につながる。
【０００５】
そこで本発明は、このような問題に鑑みてなされたものであり、その目的とするところは、簡易な構成で防犯マットの電源スイッチを侵入者に発見されないようにすることの可能な、新規かつ改良された防犯マットを提供することにある。
【課題を解決するための手段】
【０００６】
上記課題を解決するために、本発明の防犯マットは、所定の厚みを有するマットと、前記マットを収容する凹状のマット収容部を形成するマットベースと、手動でオンオフを切り替える電源スイッチと、前記電源スイッチがオンの状態のときに前記マットに荷重が掛かったことを検知する検知部と、前記検知部によって前記マットに荷重が掛かったことが検知されたときに、警報を発する警報部と、を備える。そして、前記電源スイッチは、前記マット収容部の側面に設けられ、前記マット収容部に前記マットが収容された状態で視認できないことを特徴とする。
【０００７】
かかる構成によれば、簡易な構成で防犯マットの電源スイッチを侵入者に発見されないようにすることが可能である。すなわち、マット収容部にマットが置かれた状態では、電源スイッチを外部から視認できなくなる。侵入者によって防犯マットが作動したときには、侵入者は電源スイッチの位置が分からず、防犯マットの作動を止めることができない。一方、使用者は、電源スイッチがマット収容部の側面に設けられていることで、マットを少しずらせば簡単に電源スイッチをオンオフできる。外出時や帰宅時にも、簡単に電源スイッチをオンオフすることが可能である。また、防犯マットが誤作動したときも、使用者には簡単に防犯マットの作動を止めることができる。
【０００８】
本発明は以下のようなさまざまな応用が可能である。以下に説明する本発明の応用例は、適宜組み合わせることが可能である。
【０００９】
例えば、前記マットベースには、前記マット収容部の水平位置（周囲）に、前記警報部を収容する警報部収容部が設けられるようにしてもよい。かかる構成によれば、警報部収容部が、マット収容部の下方ではなく水平位置（周囲）に設けられることによって、警報部に荷重が掛かることが少なくなり、警報部が壊れにくくなる。また、防犯マットを薄くすることができ、防犯機能を有するマットであることを侵入者等に見破られにくい。
【００１０】
また、前記マットベースは、前記警報部収容部の上方が開放するようにしてもよい。かかる構成によれば、警報部収容部の上方が開放することによって、警報部のメンテナンスが容易になる。
【００１１】
また、前記検知部は、第１プレートと、第２プレートと、前記第１プレートと前記第２プレートとを離間する第３プレートと、を有し、前記第３プレートには、１又は２以上の穴が形成され、前記マットに荷重が掛かると、前記第３プレートの穴が形成された箇所で前記第１プレートと前記第２プレートとが接触して通電することで、前記マットに荷重が掛かったことを検知するようにしてもよい。かかる構成によれば、簡易な構成で、マットに荷重が掛かったことを検知することが可能である。
【００１２】
また、前記検知部は、前記マット収容部に着脱自在に収容されるようにしてもよい。検知部をマットベースとは別体に構成することによって、検知部のメンテナンスが容易になる。また、検知部をマット収容部に収容せずに、防犯機能を有さない普通のマットとして用いることもできる。
【発明の効果】
【００１３】
本発明によれば、簡易な構成で防犯マットの電源スイッチを侵入者に発見されないようにすることが可能である。本発明のその他の効果については、以下の発明を実施するための形態の項でも説明する。
【図面の簡単な説明】
【００１４】
【図１】防犯マット１００を示す図であり、（ａ）は平面図であり、（ｂ）は（ａ）のＡ−Ａ’断面図である。
【図２】防犯マット１００を構成要素ごとに分離した状態を示す図であり、（ａ）はマット１１０を示し、（ｂ）は検知部１３０を示し、（ｃ）はマットベース１２０を示す。
【図３】マットベースの側面を示す図である。
【図４】検知部を示す図であり、（ａ）は図２（ｂ）のＡ−Ａ’断面図であり、（ｂ）は第３プレート１３６の平面図である。
【図５】マットベースの内部構成を示す図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
（第１の実施形態）
第１の実施形態について説明する。本実施形態にかかる防犯マット１００の構成について、図１〜図５を参照しながら説明する。
【００１７】
図１は、防犯マット１００を示す図であり、（ａ）は平面図であり、（ｂ）は（ａ）のＡ−Ａ’断面図である。図２は、防犯マット１００を構成要素ごとに分離した状態を示す図であり、（ａ）はマット１１０を示し、（ｂ）は検知部１３０を示し、（ｃ）はマットベース１２０を示す。防犯マット１００は、図１及び図２に示したように、所定の厚みを有するマット１１０と、マット１１０を収容するマットベース１２０と、マット１１０に荷重が掛かったことを検知する検知部１３０と、警報を発する警報部１４０と、を主に備えて構成される。
【００１８】
以下、防犯マット１００の各構成要素について詳細に説明する。
【００１９】
（マット１１０）
マット１１０は、図１及び図２（ａ）に示したように、一般的なマットと同様に、所定厚み（７ｍｍ程度）を有する矩形状で、縦４００ｍｍ程度、横６００ｍｍ程度である。ただし、マット１１０の形状は、矩形状に限らず、後述するマットベース１２０のマット収容部１２２に対応したものであればよい。マット１１０の材質等も、一般的なマットと同様のものを採用することができる。
【００２０】
マット１１０は、図１及び図２に示したように、マットベース１２０のマット収容部１２２に収容される。マット１１０はマット収容部１２２に固定されるものではなく、交換が可能である。マット１１０を交換することによって、さまざまな利用方法が可能である。例えば、防犯マット１００を玄関に置くときには、靴の泥を払うのに適切な材質とすることができる。また、防犯マット１００を室内に置くときには、クッション生地にしたり、カーペットと同素材・同色のマット１１０とすることができる。
【００２１】
（マットベース１２０）
マットベース１２０は、図１及び図２（ｃ）に示したように、マット１１０を収容する凹状のマット収容部１２２を形成する。また、マットベース１２０は、図２（ｃ）に示したように、後述する警報部１４０を収容する。マットベース１２０は、任意の材質で構成することができ、例えば、強度や加工性や重さやコストなどからプラスチックや木材等で構成することができる。
【００２２】
マットベース１２０は、図１（ｂ）及び図２（ｃ）に示したように、底面を構成する板状部材１２３と、板状部材の上方の周囲に設けられるフレーム１２４（１２４ａ、１２４ｂ、１２４ｃ、１２４ｄ）とから構成される。マットベース１２０のサイズは、縦４８０ｍｍ程度、横６８０ｍｍ程度、高さ１５ｍｍ程度である。
【００２３】
フレーム１２４は、マットベース１２０の周囲に設けられる。そして、板状部材１２３と４つのフレーム１２４ａ、１２４ｂ、１２４ｃ、１２４ｄとの内側が、マット収容部１２２となる。図２（ｃ）に示したように、フレーム１２４のうち１つのフレーム１２４ａは、警報部１４０を収容する警報部収容部の機能を有する。フレーム１２４ａは、上方が開放する筐体となっており、このフレーム１２４ａの内部に、後述する警報部１４０が収納される。
【００２４】
図３は、マットベース１２０のフレーム１２４ａの側面を示す図である。フレーム１２４ａの側面は、図３に示したように、音響用ブザー穴１２６が複数設けられている。フレーム１２４ａ内の警報部１４０が作動したときに、この音響用ブザー穴１２６から効果的に警報を発することができる。
【００２５】
また、フレーム１２４ａの側面には、図３に示したように、増設サイレンユニット差込ジャック１２８が設けられている。この増設サイレンユニット差込ジャック１２８を用いて、警報部１４０以外の他のサイレンを増設することができる。なお、この増設サイレンユニット差込ジャック１２８は、必ずしもフレーム１２４ａの側面に設ける必要はないが、フレーム１２４ａの側面に設けることで、配線の配回しが容易になる。
【００２６】
以上、マットベース１２０の一構成例について説明した。なお、マットベース１２０には、防犯マット１００を床などに固定するための機構を設けることもできる。また、マットベース１２０には、防犯マット１００が動かされたときに警報を発する警報ブザーなどを設けることもできる。
【００２７】
次に、本実施形態に特徴的な構成要素である電源スイッチＳＷについて説明する。
【００２８】
（電源スイッチＳＷ）
電源スイッチＳＷは、図２（ｃ）に示したように、警報部１４０が収納されるフレーム１２４ａ（警報部収容部）の側面に設けられる。電源スイッチＳＷは、この防犯マット１００の電源をオンオフするスイッチであり、マット１１０が踏まれたときに警報を鳴らす機能をオンオフする。なお、電源スイッチＳＷは、必ずしもフレーム１２４ａの側面ではなく、任意のフレーム１２４の側面に設けることができるが、フレーム１２４ａの側面に設けることで、配線の配回しが容易になる。
【００２９】
電源スイッチＳＷの構成は、一般的なスイッチと同様に構成することができる。突起状のスイッチを左右に動かしたり、ボタン状のスイッチを押下したりすることによって、オンオフを切り替えることができる。
【００３０】
このように、電源スイッチＳＷをマット収容部１２２の側面に設けたことによって、マット収容部１２２にマット１１０が置かれた状態では、電源スイッチＳＷを外部から視認できなくなる。侵入者によって防犯マット１００が作動したときには、侵入者は電源スイッチＳＷの位置が分からず、防犯マット１００の作動を止めることができない。一方、使用者は、電源スイッチＳＷがマット収容部１２２の側面に設けられていることで、マット１１０を少しずらせば簡単に電源スイッチＳＷをオンオフできる。外出時や帰宅時にも、簡単に電源スイッチＳＷをオンオフすることが可能である。また、防犯マット１００が誤作動したときも、使用者には簡単に防犯マット１００の作動を止めることができる。
【００３１】
以上、本実施形態に特徴的な構成要素である電源スイッチＳＷについて説明した。再び図１及び図２等を参照しながら、防犯マット１００の他の構成要素について説明する。
【００３２】
（検知部１３０）
検知部１３０は、図１及び図２に示したように、マット収容部１２２にマット１１０が収容された状態で、マット１１０の下方に置かれ、電源スイッチＳＷがオンの状態のときにマット１１０に荷重が掛かったことを検知する機能部である。すなわち、検知部１３０は、警報部１４０を作動させるための作動スイッチとしての機能を有する。
【００３３】
図４は、図２（ｂ）の検知部１３０の詳細を示す図であり、（ａ）は図２（ｂ）のＡ−Ａ’断面図であり、（ｂ）は第３プレート１３６の平面図である。検知部１３０は、図４（ａ）に示したように、第１プレート１３２と、第２プレート１３４と、第１プレート１３２と第２プレート１３４とを離間する第３プレート１３６と、を有する。これらプレートの材質は任意の材質で構成することができ、例えば、強度や加工性や重さやコストなどから、第１プレート１３２は金網、第２プレート１３４はアルミ板、第３プレート１３６はスポンジ等で構成することができる。また、検知部１３０の全体は、取り扱いの便宜のためビニールカバー１３８で覆われている。
【００３４】
第３プレート１３６には、図４（ｂ）に示したように、多数の穴１３６ａが形成されている。穴１３６ａは、侵入者がマット１１０を踏んだときに検知できるように適切に配置される。穴１３６ａは、図４に示した一例では、４行７列で合計２８個設けられているが、このような目的から、１又は２以上の適切な数の穴を、適切な位置に設けることができる。
【００３５】
そして、マット１１０に荷重が掛かると、第３プレート１３６の穴１３６ａが形成された箇所で第１プレート１３２と第２プレート１３４とが接触して通電する。この通電によって、後述する警報部１４０が作動する。このような構成によって、検知部１３０は、マット１１０に荷重が掛かったことを検知することができる。
【００３６】
（警報部１４０）
警報部１４０は、検知部１３０によってマット１１０に荷重が掛かったことが検知されたときに、警報を発する機能部である。警報部１４０は、上述したように、マットベース１２０のフレーム１２４ａ内に設けられる（図２）。すなわち、警報部１４０は、マット１１０の下方ではなく、マット１１０に対して水平位置に設けられる。
【００３７】
図５は、警報部１４０の詳細を示す図である。警報部１４０は、図５に示したように、電源スイッチＳＷと、警報部１４０の駆動源である電池１４２と、電子ブザー１４４（１４４−１、１４４−２、１４４−３）と、検知部１３０に接続される配線１４６と、増設サイレンユニット差込ジャック１２８（図３）に接続される配線１４８と、を主に備えて構成される。
【００３８】
電子ブザー１４４は、電源スイッチＳＷと配線１４６、１４８に接続されている。電子ブザー１４４は、電源スイッチＳＷがオンであり、検知部１３０によってマット１１０に荷重が掛かったことを検知したときに、所定時間ブザー音を発する。また、増設サイレンユニット差込ジャック１２８にサイレンが増設されているときには、電子ブザー１４４とともに、この増設サイレンが警報を発する。
【００３９】
なお、通電されたときに所定時間ブザー音を発する電子ブザーや増設サイレンは、公知のもの（例えば、ガラスが割われた振動を感知して電子ブザーを鳴らす窓用の警報ブザー）を採用することができる。また、電子ブザーや増設サイレンは、適切な操作が行われるまでブザー音を発し続けるようにしてもよい。
【００４０】
上述したように、警報部１４０が収容されたフレーム１２４ａ（警報部収容部）は、その上方が開放する筐体となっている。このような構成により、電池１４２の交換など、警報部１４０のメンテナンスが容易になる。
【００４１】
（第１の実施形態の効果）
以上説明したように、本実施形態によれば、電源スイッチＳＷをマット収容部１２２の側面に設けたことによって、マット収容部１２２にマット１１０が置かれた状態では、電源スイッチＳＷを外部から視認できなくなる。侵入者によって防犯マット１００が作動したときには、侵入者は電源スイッチＳＷの位置が分からず、防犯マット１００の作動を止めることができない。一方、使用者は、電源スイッチＳＷがマット収容部１２２の側面に設けられていることで、マット１１０を少しずらせば簡単に電源スイッチＳＷをオンオフできる。外出時や帰宅時にも、簡単に電源スイッチＳＷをオンオフすることが可能である。また、防犯マット１００が誤作動したときも、使用者には簡単に防犯マット１００の作動を止めることができる。
【００４２】
また、警報部１４０が収容されたフレーム１２４ａ（警報部収容部）が、マット収容部１２２の下方ではなく水平位置（周囲）に設けられることによって、警報部１４０に荷重が掛かることが少なくなり、警報部１４０が壊れにくくなる。また、防犯マット１００を薄くすることができ、防犯機能を有するマットであることを侵入者等に見破られにくい。
【００４３】
また、フレーム１２４ａの上方が開放することによって、警報部１４０のメンテナンスが容易である。
【００４４】
また、検知部１３０が簡易な構成で、マット１１０に荷重が掛かったことを検知することが可能である。
【００４５】
また、検知部１３０をマットベース１２０とは別体に構成することによって、検知部１３０のメンテナンスが容易になる。また、検知部１３０をマット収容部１２２に収容せずに、防犯機能を有さない普通のマットとして用いることもできる。
【００４６】
以下に、上記第１の実施形態の応用例について説明する。以下の実施形態では、上記第１の実施形態と異なる点を中心に説明し、上記第１の実施形態と実質的に同様の点については、重複説明を省略する。
【００４７】
（第２の実施形態）
上記第１の実施形態では、警報部１４０をマットベース１２０のフレーム１２４ａ内に設ける構成について説明した。本実施形態では、警報部をマットベース１２０と別体とする。特に、他者からは分からない位置に警報部を設けることが好ましい。マット１１０、マットベース１２０、検知部１３０の構成は上記第１の実施形態と同様であるため、説明を省略する。
【００４８】
本実施形態では、フレーム１２４ａ内には、検知部１３０からの信号を外部の警報部に送信する送信器のみを設ける。この送信器のオンオフは、上記第１の実施形態と同様に、フレーム１２４ａの側面に設けられた電源スイッチＳＷによって操作される。そして警報部には、この送信機からの信号を受信する受信器が設けられている。警報部は、室内又は屋外の外からは見えない位置に設置される。なお、送信機と受信機との間の通信は、有線により行ってもよく、無線により行ってもよい。
【００４９】
（第２の実施形態の効果）
以上説明したように、本実施形態によれば、上記第１の実施形態の効果に加え、フレーム１２４ａ内に警報部を設けるためのスペースが必要でないため、フレーム１２４ａを薄く構成することができる。よって、防犯機能を有するマットであることをより見破られにくい。また、高さも低くすることができ、防犯マットのバリエーションが広がる。
【００５０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５１】
例えば、上記実施形態では、マットベース１２０には、マット収容部１２２の水平位置に、警報部１４０を収容する警報部収容部１２４ａが設けられる構成について説明したが、本発明はこれに限定されない。警報部収容部を、マット収容部の下方位置に設けてもよい。
【００５２】
また、上記実施形態では、マットベース１２０は、警報部収容部１２４ａの上方が開放する構成について説明したが、本発明はこれに限定されない。警報部収容部の側方や下方が開放するようにしてもよく、また、警報部収容部は開放しなくてもよい。
【００５３】
また、上記実施形態で説明した検知部１３０の構成は、一例に過ぎず、任意の構成を採用することができる。例えば、マットに荷重が掛かったことを検知する荷重センサーや、マットが振動したことを検知する振動センサーや、マットが下方に撓んだことを検知するセンサーなどを用いてもよい。また、検知部は、マット収容部の底面に固定される構成や、マットベースの内部に埋設される構成であってもよい。
【００５４】
以上説明した各実施形態、変更例及び応用例の内容は、適宜組み合わせて実施できる。例えば、第１の実施形態で説明した特徴の一部と、第２の実施形態で説明した特徴の一部とを組み合わせることについても、当業者であれば容易に理解される。
【符号の説明】
【００５５】
１００  防犯マット
１１０  マット
１２０  マットベース
１２２  マット収容部
１２３  板状部材
１２４  フレーム
１２４ａ  フレーム（警報部収容部）
１２４ｂ、１２４ｃ、１２４ｄ  フレーム
１２６  音響用ブザー穴
１２８  増設サイレンユニット差込ジャック
１３０  検知部
１３２  第１プレート
１３４  第２プレート
１３６  第３プレート
１３６ａ  穴
１４０  警報部
１４２  電池
１４４（１４４−１、１４４−２、１４４−３）  電子ブザー
１４６、１４８  配線
ＳＷ  電源スイッチ
【図１】
2018025857.tif 000003
【図２】
2018025857.tif 000004
【図３】
2018025857.tif 000005
【図４】
2018025857.tif 000006
【図５】
2018025857.tif 000007